【事件の表示】
　特願２０１５−　２６５１３号「遊技機」拒絶査定不服審判事件〔平成２８年　８月１８日出願公開、特開２０１６−１４７００８号〕について、次のとおり審決する。
【結　論】
　本件審判の請求は、成り立たない。
【理　由】
第１　手続の経緯
　本願は、平成２７年２月１３日の出願であって、平成２８年１月４日付けで拒絶理由が通知され、平成２８年３月１０日付けで手続補正がなされたが、平成２８年９月１日付けで拒絶査定がなされ、これに対し平成２８年１２月１日付けで拒絶査定不服審判の請求がなされるとともに、これと同時に手続補正（以下、「本件補正」という。）がなされたものである。
第２　本件補正についての補正却下の決定
［補正却下の決定の結論］
　本件補正を却下する。
［理由］
１．本件補正の概要
　本件補正は特許請求の範囲の請求項１の記載を含む補正であり、平成２８年３月１０日付けの手続補正と本件補正の特許請求の範囲の請求項１の記載はそれぞれ、以下のとおりである（下線部は、補正箇所を示す。）。
（補正前：平成２８年３月１０日付け手続補正）
「【請求項１】
　始動条件の成立により、特別遊技に当選したか否かを判定する判定手段と、
　図柄の変動表示を行う図柄表示手段と、
　前記判定手段の判定結果に基づいて、前記図柄表示手段に表示する図柄の変動表示を制御する図柄制御手段と、
　前記図柄制御手段により前記図柄表示手段に表示される図柄が所定図柄で停止表示された後、前記特別遊技を実行する特別遊技実行手段と、
　第１演出手段および第２演出手段と、
　前記第１演出手段および前記第２演出手段に演出を行わせる演出制御手段と、を備え、
　前記演出制御手段は、
　前記図柄変動表示中に前記第１演出手段および前記第２演出手段を用いた第１特定報知演出と、前記特別遊技中に前記第１演出手段および前記第２演出手段を用いた第２特定報知演出と、を実行可能な特定報知演出実行手段を有し、
　前記特定報知演出実行手段は、前記第１演出手段を所定タイミングから所定期間作動させると共に、前記第２演出手段を前記所定タイミングから前記所定期間とは異なる期間作動させることを特徴とする遊技機。」
（補正後：本件補正である平成２８年１２月１日付け手続補正）
「【請求項１】
　始動条件の成立により、特別遊技に当選したか否かを判定する判定手段と、
　図柄の変動表示を行う図柄表示手段と、
　前記判定手段の判定結果に基づいて、前記図柄表示手段に表示する図柄の変動表示を制御する図柄制御手段と、
　前記図柄制御手段により前記図柄表示手段に表示される図柄が所定図柄で停止表示された後、前記特別遊技を実行する特別遊技実行手段と、
　第１演出手段および第２演出手段と、
　前記第１演出手段および前記第２演出手段に演出を行わせる演出制御手段と、を備え、
　前記演出制御手段は、
　前記図柄変動表示中に前記第１演出手段および前記第２演出手段を用いた第１特定報知演出と、前記特別遊技中に前記第１演出手段および前記第２演出手段を用いた第２特定報知演出と、を実行可能な特定報知演出実行手段を有し、
　前記特定報知演出実行手段は、
　
前記第１特定報知演出を実行する際には、
第１の
第１期間
前記第１の
第２
、
　前記第２特定報知演出を実行する際には、前記第１演出手段を第２のタイミングから第３期間作動させると共に、前記第２演出手段を前記第２のタイミングから第４期間作動させる
２．補正の適否
（１）本件補正により、特許請求の範囲の請求項１に記載される「特定報知演出実行手段」については、補正前の「前記第１演出手段を所定タイミングから所定期間作動させると共に、前記第２演出手段を前記所定タイミングから前記所定期間とは異なる期間作動させる」なる記載から、「前記第１特定報知演出を実行する際には、前記第１演出手段を第１のタイミングから第１期間作動させると共に、前記第２演出手段を前記第１のタイミングから第２期間作動させ、前記第２特定報知演出を実行する際には、前記第１演出手段を第２のタイミングから第３期間作動させると共に、前記第２演出手段を前記第２のタイミングから第４期間作動させる」なる記載に補正されている。
　ここで、上記「第２演出手段」を作動させる期間については、「前記所定期間とは異なる期間」なる記載を削除しており、「前記第１特定報知演出を実行する際には、・・・前記第２演出手段を・・・第２期間作動させ、前記第２特定報知演出を実行する際には、・・・前記第２演出手段を・・・第４期間作動させる」と記載されるのみであるから、第１特定報知演出を実行する際の第２期間が第１期間と異なる期間であること、および、第２特定報知演出を実行する際の第４期間が第３期間と異なる期間であることは記載されていない。このため、該「前記所定期間とは異なる期間」を削除した点は、直列的に記載された発明特定事項の一部の削除にあたり、発明特定事項の限定とはいえない。　
　したがって、本件補正は、特許法第１７条の２第５項第２号に規定する「特許請求の範囲の減縮(補正前の請求項に記載された発明と産業上の利用分野及び解決しようとする課題が同一である発明となるように請求項に記載した発明を特定するために必要な事項を限定するものに限る。)」を目的とするものに該当しない。
　また、本件補正は、同項第１号の請求項の削除、第３号の誤記の訂正、及び、第４号の明瞭でない記載の釈明(拒絶理由に示された事項についてするものに限る。)、のいずれを目的とするものでもないことは明らかである。
　したがって、本件補正は、特許法第１７条の２第５項に規定する要件を満たしていないものであるから、特許法第１５９条第１項において読み替えて準用する同法第５３条第１項の規定により却下すべきものである。
（２）ここで、上記本件補正が、「特定報知演出実行手段」の「第２演出手段」を作動させる期間について、補正前の「前記所定期間とは異なる期間」なる記載を加味した、第１特定報知演出を実行する際の第２期間が第１期間と異なる期間であり、第２特定報知演出を実行する際の第４期間が第３期間と異なる期間であるとして、かつ、「所定タイミング」を「第１のタイミング」、「第２のタイミング」と区別して限定したものとして、本件補正が特許法第１７条の２第５項第２号の、特許請求の範囲の減縮を目的とするものであるとした場合に、本件補正後の請求項１に記載された発明が特許出願の際独立して特許を受けることができるものであるか否か、すなわち、特許法第１７条の２第６項において準用する同様第１２６条第７項の規定に適合するか否か、についても一応、以下で検討する。
３．独立特許要件
（１）本件補正後の請求項１に係る発明
　補正後の請求項１に係る発明（以下、「本願補正発明」という。）は、上記１．の本件補正の概要において示した次のとおりのものである（Ａ〜Ｈは本願補正発明を分説するため当審で付与した。）。
「Ａ　始動条件の成立により、特別遊技に当選したか否かを判定する判定手段と、
Ｂ　図柄の変動表示を行う図柄表示手段と、
Ｃ　前記判定手段の判定結果に基づいて、前記図柄表示手段に表示する図柄の変動表示を制御する図柄制御手段と、
Ｄ　前記図柄制御手段により前記図柄表示手段に表示される図柄が所定図柄で停止表示された後、前記特別遊技を実行する特別遊技実行手段と、
Ｅ　第１演出手段および第２演出手段と、
Ｆ　前記第１演出手段および前記第２演出手段に演出を行わせる演出制御手段と、を備え、
Ｇ　前記演出制御手段は、
　　前記図柄変動表示中に前記第１演出手段および前記第２演出手段を用いた第１特定報知演出と、前記特別遊技中に前記第１演出手段および前記第２演出手段を用いた第２特定報知演出と、を実行可能な特定報知演出実行手段を有し、
Ｈ　前記特定報知演出実行手段は、
　　前記第１特定報知演出を実行する際には、前記第１演出手段を第１のタイミングから第１期間作動させると共に、前記第２演出手段を前記第１のタイミングから第２期間作動させ、
　　前記第２特定報知演出を実行する際には、前記第１演出手段を第２のタイミングから第３期間作動させると共に、前記第２演出手段を前記第２のタイミングから第４期間作動させることを特徴とする遊技機。」
（２）引用文献に記載された事項
　原査定の拒絶の理由に引用された特開２０１３−２１２１４０号公報（以下、「引用文献１」という。）には、次の事項が記載されている（下線は当審で付した。）。
（ア）「【００２４】
　前記遊技盤２０に配設された枠状装飾体２５の表示窓口２５ａの上部には、遊技演出に合わせて可動する可動演出装置２６が配設されている。
この可動演出装置２６は、駆動モータ２７に連結されて回転駆動される可動体２６ａを備え、該駆動モータ２７は、後述する統括制御基板６５に電気的に接続されており、該統括制御基板６５から出力される制御信号(制御コマンド)に基づいて、駆動モータ２７が制御されるようになっている。また、可動体２６ａの内部には、ＬＥＤ等の発光体を配設した可動体ランプ装置２８が配設され、該可動体ランプ装置２８は、前記統括制御基板６５に電気的に接続され、該統括制御基板６５から出力される制御信号(制御コマンド)に基づいて発光体が発光制御されるようになっている
（イ）「【００２７】
　・・・そして、
前記図柄表示装置１７での図柄変動演出の結果、該図柄表示装置１７に所定の当り表示(大当り表示)となる図柄組み合わせ(例えば同一飾図の３つ揃い等)で飾図が確定停止表示されることで、遊技者に有利な当り遊技(大当り遊技)が付与され、当り遊技の発生に伴って前記特別入賞装置４０を所定の開放条件で開放する当り遊技が行われて、遊技者が賞球を獲得し得る機会が与えられるよう構成されている
（ウ）「【００７３】
　また、実施例のパチンコ機１０には、サブ制御基板として、遊技演出を全体的に制御する統括制御基板６５と、図柄表示装置１７での表示内容を制御する表示制御基板７０と、パチンコ機１０が備える各種発光演出手段(ランプ装置１８等)の発光制御を行うランプ制御基板７２と、パチンコ機１０が備えるスピーカ１９の音出力制御を行う音制御基板７３とを備えている。すなわち、メイン制御基板６０が出力した制御信号(制御コマンド)に基づいて、前記統括制御基板６５が表示制御基板７０、ランプ制御基板７２および音制御基板７３を制御するよう構成されており、パチンコ機１０で実行される各種遊技演出(図柄変動演出や発光演出、音声演出)を統括的にコントロールし得るようになっている。ここで、
表示制御基板７０は、統括制御基板６５から出力された制御信号(制御コマンド)に基づいて、図柄表示装置１７に表示される図柄(飾図)や背景画像等の図柄変動演出の表示内容を制御するよう構成される
音制御基板７３は、統括制御基板６５から出力された制御信号(制御コマンド)に基づき、パチンコ機１０が備える各種スピーカ１９からの音声出力のタイミングや大きさ等を制御するものである
（エ）「【００９０】
　すなわち、
始動入賞装置３０への入賞を契機として当りか否かを判定すると共に、複数種類の当り遊技の中から付与する当り遊技の種類を決定する当り遊技決定手段(当り判定手段)および決定した種類の当り遊技を特図変動表示終了後(図柄変動演出終了後)に実行する当り遊技実行手段としての機能を前記メイン制御ＣＰＵ６０ａが備えている。メイン制御ＣＰＵ６０ａは、前記始動入賞装置３０への入賞に基づいて、前記メイン制御ＲＯＭ６０ｂが記憶する複数種類の変動パターンの中から１つの変動パターンを決定する変動パターン決定手段としての機能を備えている
（オ）「【０１０１】
　ここで、ステップＢ２８,Ｂ２９,Ｂ３０,Ｂ３１において
変動パターンおよび最終停止図柄(特図２)を決定したメイン制御ＣＰＵは、統括制御基板６５に対し、所定の制御コマンドを所定のタイミングで出力する(ステップＢ２６)。具体的には、メイン制御ＣＰＵ６０ａは、変動パターンを指定すると共に図柄変動の開始を指示する変動パターン指定コマンドを出力する
（カ）「【０１０９】
(統括制御について)
　次に、統括制御基板６５で実行される処理について説明する。
統括制御基板６５の統括制御ＣＰＵ６５ａは、前記メイン制御ＣＰＵ６０ａから入力された変動パターン指定コマンドに基づいて、当該図柄変動演出において実行する演出パターンを決定し、決定した演出パターンを指定する演出パターン指定コマンドを表示制御基板７０やランプ制御基板７２、音制御基板７３等に出力する
（キ）「【０１２２】
（一発報知演出について）
　
前記パチンコ機１０では、前記第１および第２始動入賞口３１ａ,３１ｂへのパチンコ球の入賞を契機とする大当り判定が肯定判定の場合に、前記図柄表示装置１７での図柄変動演出中に大当り(特典状態)が発生することを報知する一発報知演出(特典状態報知演出)を実行可能に構成されている。すなわち、前記統括制御ＣＰＵ６５ａは、メイン制御ＣＰＵ６０ａから入力された変動パターンに基づいて、一発報知演出の実行可否および演出実行タイミングを決定し、一発報知演出の実行が決定された場合は、該統括制御ＣＰＵ６５ａが決定した演出実行タイミングで一発報知演出を実行するよう構成されている
【０１２３】
（一発報知演出パターンについて）
　本実施例では、前記一発報知演出は、メイン制御ＣＰＵ６０ａから入力された変動パターンに基づき決定した演出パターンによって特定される演出内容が異なる複数(本実施例では１０通り)の一発報知演出パターンＫ１〜Ｋ１０が設定されており、これら一発報知演出パターンＫ１〜Ｋ１０は統括制御ＲＯＭ６５ｂに記憶されている。
各一発報知演出パターンＫ１〜Ｋ１０は、前記可動演出装置２６の可動体２６ａを回転する演出、可動体ランプ装置２８における発光体の点灯,消灯(点滅)による演出およびスピーカ１９から出力する特定効果音による演出を、単独または複数を組み合わせた演出によって構成されている
・・・
【０１２５】
　すなわち、
第１一発報知演出パターンＫ１は、演出全体の演出時間(以下、単に演出時間という)が８０００ｍｓに設定され、可動体２６ａについては、一発報知演出の開始から終了まで連続的に一方向(実施例では右回り)に回転するよう設定される。また、発光体については、一発報知演出の開始から点灯して１５００ｍｓ後に消灯し、該消灯状態を２５００ｍｓ継続した後に、点灯１００ｍｓと消灯１００ｍｓとを繰り返すパターンを１０回行い、該パターンが終わった後に５００ｍｓ消灯を継続してから点灯して一発報知演出の終了により消灯するよう設定される。更に、スピーカ１９からの効果音については、一発報知演出の開始から出力して、発光体の最初の消灯に合わせて消音し、該発光体の次の点灯に合わせて出力してから一発報知演出の終了まで出力を継続した後に消音するよう設定される
　上記（ア）〜（キ）の記載事項から、以下の事項がいえる。なお、（ａ）〜（ｈ）は、本願補正発明の構成Ａ〜Ｈに対応した事項を示している。
（ａ）上記（エ）の【００９０】には「始動入賞装置３０への入賞を契機として当りか否かを判定すると共に、複数種類の当り遊技の中から付与する当り遊技の種類を決定する当り遊技決定手段(当り判定手段)および決定した種類の当り遊技を特図変動表示終了後(図柄変動演出終了後)に実行する当り遊技実行手段としての機能を前記メイン制御ＣＰＵ６０ａが備えている」と記載されている。
　したがって、引用文献１には、
始動入賞装置３０への入賞を契機として当りか否かを判定するメイン制御ＣＰＵ６０ａ
（ｂ）上記（ウ）の【００７３】には「表示制御基板７０は、統括制御基板６５から出力された制御信号(制御コマンド)に基づいて、図柄表示装置１７に表示される図柄(飾図)や背景画像等の図柄変動演出の表示内容を制御するよう構成される」と記載されている。
　したがって、引用文献１には、
図柄変動演出が表示される図柄表示装置１７
（ｃ）上記（ウ）の【００７３】には「表示制御基板７０は、統括制御基板６５から出力された制御信号(制御コマンド)に基づいて、図柄表示装置１７に表示される図柄(飾図)や背景画像等の図柄変動演出の表示内容を制御するよう構成される」と記載されている。
　また、上記（エ）の【００９０】には「始動入賞装置３０への入賞を契機として当りか否かを判定すると共に、複数種類の当り遊技の中から付与する当り遊技の種類を決定する当り遊技決定手段(当り判定手段)および決定した種類の当り遊技を特図変動表示終了後(図柄変動演出終了後)に実行する当り遊技実行手段としての機能を前記メイン制御ＣＰＵ６０ａが備えている。メイン制御ＣＰＵ６０ａは、前記始動入賞装置３０への入賞に基づいて、前記メイン制御ＲＯＭ６０ｂが記憶する複数種類の変動パターンの中から１つの変動パターンを決定する変動パターン決定手段としての機能を備えている」と記載され、（オ）の【０１０１】には「変動パターンおよび最終停止図柄(特図２)を決定したメイン制御ＣＰＵは、統括制御基板６５に対し、所定の制御コマンドを所定のタイミングで出力する(ステップＢ２６)。具体的には、メイン制御ＣＰＵ６０ａは、変動パターンを指定すると共に図柄変動の開始を指示する変動パターン指定コマンドを出力する」と記載され、（カ）の【０１０９】には「統括制御基板６５の統括制御ＣＰＵ６５ａは、前記メイン制御ＣＰＵ６０ａから入力された変動パターン指定コマンドに基づいて、当該図柄変動演出において実行する演出パターンを決定し、決定した演出パターンを指定する演出パターン指定コマンドを表示制御基板７０やランプ制御基板７２、音制御基板７３等に出力する」と記載されているから、メイン制御ＣＰＵ６０ａは、始動入賞装置３０への入賞を契機として当りか否かを判定して決定した１つの変動パターンを指定する変動パターン指定コマンドを統括制御基板６５に対して出力し、統括制御基板６５の統括制御ＣＰＵ６５ａは、該変動パターン指定コマンドに基づいて決定した演出パターンを指定する演出パターン指定コマンドを表示制御基板７０に出力していることが記載されているといえる。
　そうすると、表示制御基板７０に出力される演出パターン指定コマンドとは、メイン制御ＣＰＵ６０ａの判定した結果によるものであることが記載されているといえる。
　したがって、引用文献１には、
メイン制御ＣＰＵ６０ａの判定した結果によるものである演出パターン指定コマンドに基づいて、図柄表示装置１７に表示される図柄変動演出の表示内容を制御する表示制御基板７０
（ｄ）上記（ウ）の【００７３】には「表示制御基板７０は、統括制御基板６５から出力された制御信号(制御コマンド)に基づいて、図柄表示装置１７に表示される図柄(飾図)や背景画像等の図柄変動演出の表示内容を制御するよう構成される」と記載され、上記（イ）の【００２７】には「前記図柄表示装置１７での図柄変動演出の結果、該図柄表示装置１７に所定の当り表示(大当り表示)となる図柄組み合わせ(例えば同一飾図の３つ揃い等)で飾図が確定停止表示されることで、遊技者に有利な当り遊技(大当り遊技)が付与され、当り遊技の発生に伴って前記特別入賞装置４０を所定の開放条件で開放する当り遊技が行われて、遊技者が賞球を獲得し得る機会が与えられるよう構成されている」と記載されているから、表示制御基板７０により図柄表示装置１７に所定の当り表示となる図柄組み合わせで飾図が確定停止表示されることが記載されているといえる。
　また、上記（エ）の【００９０】には「決定した種類の当り遊技を特図変動表示終了後(図柄変動演出終了後)に実行する当り遊技実行手段としての機能を前記メイン制御ＣＰＵ６０ａが備えている」と記載されている。
　したがって、引用文献１には、
表示制御基板７０により図柄表示装置１７に所定の当り表示となる図柄組み合わせで飾図が確定停止表示された後、決定した種類の当り遊技を実行するメイン制御ＣＰＵ６０ａ
（ｅ）上記（ア）の【００２４】には「この可動演出装置２６は、駆動モータ２７に連結されて回転駆動される可動体２６ａを備え、該駆動モータ２７は、後述する統括制御基板６５に電気的に接続されており、該統括制御基板６５から出力される制御信号(制御コマンド)に基づいて、駆動モータ２７が制御されるようになっている。また、可動体２６ａの内部には、ＬＥＤ等の発光体を配設した可動体ランプ装置２８が配設され、該可動体ランプ装置２８は、前記統括制御基板６５に電気的に接続され、該統括制御基板６５から出力される制御信号(制御コマンド)に基づいて発光体が発光制御されるようになっている」と記載され、（ウ）の【００７３】には「音制御基板７３は、統括制御基板６５から出力された制御信号(制御コマンド)に基づき、パチンコ機１０が備える各種スピーカ１９からの音声出力のタイミングや大きさ等を制御するものである」ている。
　したがって、引用文献１には、
可動演出装置２６および可動体ランプ装置２８ならびにスピーカ１９
（ｆ）上記（ｅ）に記載したとおり、引用文献１には、
可動演出装置２６の駆動モータ２７の制御、可動体ランプ装置２８の発光制御、および、スピーカ１９からの音声出力のタイミングや大きさ等の制御をする統括制御基板６５
（ｇ）上記（キ）の【０１２２】には「前記パチンコ機１０では、前記第１および第２始動入賞口３１ａ,３１ｂへのパチンコ球の入賞を契機とする大当り判定が肯定判定の場合に、前記図柄表示装置１７での図柄変動演出中に大当り(特典状態)が発生することを報知する一発報知演出(特典状態報知演出)を実行可能に構成されている。すなわち、前記統括制御ＣＰＵ６５ａは、メイン制御ＣＰＵ６０ａから入力された変動パターンに基づいて、一発報知演出の実行可否および演出実行タイミングを決定し、一発報知演出の実行が決定された場合は、該統括制御ＣＰＵ６５ａが決定した演出実行タイミングで一発報知演出を実行するよう構成されている」と記載され、【０１２３】には「各一発報知演出パターンＫ１〜Ｋ１０は、前記可動演出装置２６の可動体２６ａを回転する演出、可動体ランプ装置２８における発光体の点灯,消灯(点滅)による演出およびスピーカ１９から出力する特定効果音による演出を、単独または複数を組み合わせた演出によって構成されている」と記載されている。
　また、上記（カ）の【０１０９】には「統括制御基板６５の統括制御ＣＰＵ６５ａ」と記載されている。
　したがって、
統括制御基板６５が、図柄変動演出中に大当りが発生することを報知する一発報知演出であって、可動演出装置２６の可動体２６ａを回転する演出、可動体ランプ装置２８における発光体の点灯、消灯(点滅)による演出およびスピーカ１９から出力する特定効果音による演出である一発報知演出を実行するよう構成されている統括制御ＣＰＵ６５ａを有し
（ｈ）上記（キ）の【０１２５】には「第１一発報知演出パターンＫ１は、演出全体の演出時間(以下、単に演出時間という)が８０００ｍｓに設定され、可動体２６ａについては、一発報知演出の開始から終了まで連続的に一方向(実施例では右回り)に回転するよう設定される。また、発光体については、一発報知演出の開始から点灯して１５００ｍｓ後に消灯し、該消灯状態を２５００ｍｓ継続した後に、点灯１００ｍｓと消灯１００ｍｓとを繰り返すパターンを１０回行い、該パターンが終わった後に５００ｍｓ消灯を継続してから点灯して一発報知演出の終了により消灯するよう設定される。更に、スピーカ１９からの効果音については、一発報知演出の開始から出力して、発光体の最初の消灯に合わせて消音し、該発光体の次の点灯に合わせて出力してから一発報知演出の終了まで出力を継続した後に消音するよう設定される」と記載され、【０１２２】には「前記パチンコ機１０では、前記第１および第２始動入賞口３１ａ,３１ｂへのパチンコ球の入賞を契機とする大当り判定が肯定判定の場合に、前記図柄表示装置１７での図柄変動演出中に大当り(特典状態)が発生することを報知する一発報知演出(特典状態報知演出)を実行可能に構成されている。すなわち、前記統括制御ＣＰＵ６５ａは、メイン制御ＣＰＵ６０ａから入力された変動パターンに基づいて、一発報知演出の実行可否および演出実行タイミングを決定し、一発報知演出の実行が決定された場合は、該統括制御ＣＰＵ６５ａが決定した演出実行タイミングで一発報知演出を実行するよう構成されている」と記載されている。
　したがって、引用文献１には、
統括制御ＣＰＵ６５ａは、第１一発報知演出パターンＫ１では、可動体２６ａについては、一発報知演出の開始から終了までの８０００ｍｓ連続的に一方向(実施例では右回り)に回転するよう設定され、発光体については、一発報知演出の開始から点灯して１５００ｍｓ後に消灯し、スピーカ１９からの効果音については、一発報知演出の開始から出力して、発光体の最初の消灯に合わせて消音しているパチンコ機
　したがって、上記（ア）〜（キ）の記載事項、上記（ａ）〜（ｈ）認定事項を総合すれば、引用文献１には、次の発明が記載されている（以下、「引用発明」という。ａ〜ｈは引用発明を分説するため当審で付した。）。
「ａ　始動入賞装置３０への入賞を契機として当りか否かを判定するメイン制御ＣＰＵ６０ａと、
ｂ　図柄変動演出が表示される図柄表示装置１７と、
ｃ　メイン制御ＣＰＵ６０ａの判定した結果によるものである演出パターン指定コマンドに基づいて、図柄表示装置１７に表示される図柄変動演出の表示内容を制御する表示制御基板７０と、
ｄ　表示制御基板７０により図柄表示装置１７に所定の当り表示となる図柄組み合わせで飾図が確定停止表示された後、決定した種類の当り遊技を実行するメイン制御ＣＰＵ６０ａと、
ｅ　可動演出装置２６および可動体ランプ装置２８ならびにスピーカ１９と、
ｆ　可動演出装置２６の駆動モータ２７の制御、可動体ランプ装置２８の発光制御、および、スピーカ１９からの音声出力のタイミングや大きさ等の制御をする統括制御基板６５と、を備え、
ｇ　統括制御基板６５が、図柄変動演出中に大当りが発生することを報知する一発報知演出であって、可動演出装置２６の可動体２６ａを回転する演出、可動体ランプ装置２８における発光体の点灯、消灯(点滅)による演出およびスピーカ１９から出力する特定効果音による演出である一発報知演出を実行するよう構成されている統括制御ＣＰＵ６５ａを有し、
ｈ　統括制御ＣＰＵ６５ａは、第１一発報知演出パターンＫ１では、可動体２６ａについては、一発報知演出の開始から終了までの８０００ｍｓ連続的に一方向(実施例では右回り)に回転するよう設定され、発光体については、一発報知演出の開始から点灯して１５００ｍｓ後に消灯し、スピーカ１９からの効果音については、一発報知演出の開始から出力して、発光体の最初の消灯に合わせて消音しているパチンコ機。」
（３）対比
　本願補正発明と引用発明とを対比する。対比の見出しとしての（ａ）〜（ｈ）は引用発明の分説構成と対応させた。
（ａ）遊技機においては、始動入賞装置３０へ入賞することで始動するための条件が成立すること、および、当りが特別な遊技のことであることはそれぞれ自明なことであるから、引用発明における「始動入賞装置３０への入賞を契機として当りか否かを判定する」ことは、本願補正発明における「始動条件の成立により、特別遊技に当選したか否かを判定する」ことに相当する。
　また、引用発明における「メイン制御ＣＰＵ６０ａ」は、当りか否かを判定しているから、本願補正発明における「判定手段」に相当する。
　したがって、引用発明の「始動入賞装置３０への入賞を契機として当りか否かを判定するメイン制御ＣＰＵ６０ａ」は、本願補正発明の「始動条件の成立により、特別遊技に当選したか否かを判定する判定手段」に相当する。
（ｂ）引用発明における「図柄表示装置１７」は、本願補正発明における「図柄表示手段」に相当する。
　したがって、引用発明の「図柄変動演出が表示される図柄表示装置１７」は、本願補正発明の「図柄の変動表示を行う図柄表示手段」に相当する。
（ｃ）引用発明における「表示制御基板７０」は、本願補正発明における「図柄制御手段」に相当する。
　したがって、上記（ａ）において言及したように、引用発明の「メイン制御ＣＰＵ６０ａ」は、本願補正発明における「判定手段」に相当し、上記（ｂ）において言及したように、引用発明の「図柄表示装置１７」は、本願補正発明における「図柄表示手段」に相当するから、引用発明の「メイン制御ＣＰＵ６０ａの判定した結果によるものである演出パターン指定コマンドに基づいて、図柄表示装置１７に表示される図柄変動演出の表示内容を制御する表示制御基板７０」は、本願補正発明の「前記判定手段の判定結果に基づいて、前記図柄表示手段に表示する図柄の変動表示を制御する図柄制御手段」に相当する。
（ｄ）引用発明における「メイン制御ＣＰＵ６０ａ」は、図柄変動演出終了後に当り遊技を実行しているから、本願補正発明における「特別遊技実行手段」にも相当する。
　また、引用発明における「所定の当り表示となる図柄組み合わせ」の図柄は、本願補正発明における「所定図柄」に相当する。
　したがって、上記（ｃ）において言及したように、引用発明における「表示制御基板７０」は、本願補正発明における「図柄制御手段」に相当するから、引用発明の「表示制御基板７０により図柄表示装置１７に所定の当り表示となる図柄組み合わせで飾図が確定停止表示された後、決定した種類の当り遊技を実行するメイン制御ＣＰＵ６０ａ」は、本願補正発明の「前記図柄制御手段により前記図柄表示手段に表示される図柄が所定図柄で停止表示された後、前記特別遊技を実行する特別遊技実行手段」に相当する。
（ｅ）引用発明における「可動演出装置２６」は、本願補正発明における「第１演出手段」に相当する。
　また、引用発明における「可動体ランプ装置２８ならびにスピーカ１９」は、可動体ランプ装置２８における発光体の点灯、消灯(点滅)も演出であり、スピーカ１９から出力する音も演出であるといえるから、本願補正発明における「第２演出手段」に相当する。
　したがって、引用発明の「可動演出装置２６および可動体ランプ装置２８ならびにスピーカ１９」は、本願補正発明の「第１演出手段および第２演出手段」に相当する。
（ｆ）引用発明における「可動演出装置２６の駆動モータ２７の制御、可動体ランプ装置２８の発光制御、および、スピーカ１９からの音声出力のタイミングや大きさ等の制御をする」ことは、「可動演出装置２６」、「可動体ランプ装置２８」、および、「スピーカ１９」により演出が行われることといえるから、引用発明における「統括制御基板６５」は、本願補正発明における「演出制御手段」に相当する。
　したがって、上記（ｅ）において言及したように、引用発明の「可動演出装置２６および可動体ランプ装置２８ならびにスピーカ１９」は、本願補正発明の「第１演出手段および第２演出手段」に相当するから、引用発明の「可動演出装置２６の駆動モータ２７の制御、可動体ランプ装置２８の発光制御、および、スピーカ１９からの音声出力のタイミングや大きさ等の制御をする統括制御基板６５」は、本願補正発明の「前記第１演出手段および前記第２演出手段に演出を行わせる演出制御手段」に相当する。
（ｇ）引用発明における「図柄変動演出中」は、本願補正発明における「図柄変動表示中」に相当する。
　また、引用発明における「一発報知演出」は、可動演出装置２６の可動体２６ａを回転する演出、可動体ランプ装置２８における発光体の点灯、消灯(点滅)による演出およびスピーカ１９から出力する特定効果音による演出であるから、本願補正発明における「第１特定報知演出」に相当する。
　そして、引用発明における「統括制御ＣＰＵ６５ａ」は、一発報知演出を実行しているから、本願補正発明における「特定報知演出実行手段」に相当する。
　したがって、上記（ｆ）において言及したように、引用発明における「統括制御基板６５」は、本願補正発明における「演出制御手段」に相当するから、引用発明の「統括制御基板６５が、図柄変動演出中に大当りが発生することを報知する一発報知演出であって、可動演出装置２６の可動体２６ａを回転する演出、可動体ランプ装置２８における発光体の点灯、消灯(点滅)による演出およびスピーカ１９から出力する特定効果音による演出である一発報知演出を実行するよう構成されている統括制御ＣＰＵ６５ａを有し」ていることは、本願補正発明と「前記演出制御手段は、前記図柄変動表示中に前記第１演出手段および前記第２演出手段を用いた第１特定報知演出を実行可能な特定報知演出実行手段を有し」ていることで共通している。
（ｈ）引用発明における「一発報知演出の開始」、「パチンコ機」は、それぞれ本願補正発明における「第１のタイミング」、「遊技機」に相当する。
　また、引用発明における「一発報知演出の開始から終了までの８０００ｍｓ」、「１５００ｍｓ」は、それぞれ異なる期間であるから、それぞれ本願補正発明における「第１期間」、第１期間と異なる期間である「第２期間」に相当する。
　したがって、上記（ｇ）において言及したように、引用発明における「統括制御ＣＰＵ６５ａ」は、本願補正発明における「特定報知演出実行手段」に相当するから、引用発明の「統括制御ＣＰＵ６５ａは、第１一発報知演出パターンＫ１では、可動体２６ａについては、一発報知演出の開始から終了までの８０００ｍｓ連続的に一方向(実施例では右回り)に回転するよう設定され、発光体については、一発報知演出の開始から点灯して１５００ｍｓ後に消灯し、スピーカ１９からの効果音については、一発報知演出の開始から出力して、発光体の最初の消灯に合わせて消音しているパチンコ機」は、本願補正発明と「前記特定報知演出実行手段は、前記第１特定報知演出を実行する際には、前記第１演出手段を第１のタイミングから第１期間作動させると共に、前記第２演出手段を前記第１のタイミングから第２期間作動させる遊技機」である点で共通している。
　以上（ａ）〜（ｈ）の検討より、本願補正発明と引用発明とは、
「Ａ　始動条件の成立により、特別遊技に当選したか否かを判定する判定手段と、
Ｂ　図柄の変動表示を行う図柄表示手段と、
Ｃ　前記判定手段の判定結果に基づいて、前記図柄表示手段に表示する図柄の変動表示を制御する図柄制御手段と、
Ｄ　前記図柄制御手段により前記図柄表示手段に表示される図柄が所定図柄で停止表示された後、前記特別遊技を実行する特別遊技実行手段と、
Ｅ　第１演出手段および第２演出手段と、
Ｆ　前記第１演出手段および前記第２演出手段に演出を行わせる演出制御手段と、を備え、
Ｇ’　前記演出制御手段は、
　　前記図柄変動表示中に前記第１演出手段および前記第２演出手段を用いた第１特定報知演出を実行可能な特定報知演出実行手段を有し、
Ｈ’　前記特定報知演出実行手段は、
　　前記第１特定報知演出を実行する際には、前記第１演出手段を第１のタイミングから第１期間作動させると共に、前記第２演出手段を前記第１のタイミングから第２期間作動させる遊技機。」
の点で一致し、以下の点で相違する。
［相違点１］
　「演出制御手段」が有する「特定報知演出実行手段」について、本願補正発明は、「前記特別遊技中に前記第１演出手段および前記第２演出手段を用いた第２特定報知演出」も「実行可能」であるのに対して、引用発明は、そのような特定がなされていない点。
［相違点２］
　「特定報知演出実行手段」について、本願補正発明は、「前記第２特定報知演出を実行する際には、前記第１演出手段を第２のタイミングから第３期間作動させると共に、前記第２演出手段を前記第２のタイミングから第４期間作動させる」のに対して、引用発明は、そのような特定がなされていない点。
（４）判断
（ア）上記［相違点１］について検討する。
　引用文献１の【０２２４】には(変更例)として「(１)実施例では、遊技者に付与される特典状態を報知する特典状態報知演出として、大当りを報知する一発報知演出を図柄変動演出中に実行する場合で説明したが、特典状態は大当りに限定されるものでなく、確変状態等、遊技者にとって有利な状態であればよい。すなわち、特典状態を報知する一発報知演出は、大当り遊技中において確変状態を報知するための演出として実行するものであってもよく、該一発報知演出の演出実行タイミングは、図柄変動演出の開始から大当り遊技の終了までの間に設定されればよい。従って、図柄変動演出の開始から大当り遊技の終了を示すエンディング演出が終了するまでの間に、一発報知演出の演出実行タイミングが設定されていればよい。また、例えば特殊確変大当り遊技に当選した場合の当該大当り遊技において、１ラウンド目における開閉扉の３回目の開放に合わせて一発報知演出を実行することによって、当該大当り遊技が出球の少ない２Ｒ突然確変大当り遊技でなく、出球の多い特殊確変大当り遊技であることを報知するものであってもよい」と記載されており、「特典状態を報知する一発報知演出は、大当り遊技中において確変状態を報知するための演出として実行するものであってもよ」いこと、および、「特殊確変大当り遊技に当選した場合の当該大当り遊技において、１ラウンド目における開閉扉の３回目の開放に合わせて一発報知演出を実行すること」が記載されている。
　ここで、上記特典状態報知演出は遊技者に付与される特典状態を報知することが目的であり、報知する特典状態を１つのみに限定する理由はないから、いずれの特典状態の報知を実行するようにするかは、当業者が適宜選択し得た事項である。
　したがって、引用発明に、引用文献１に記載された「特典状態を報知する一発報知演出は、大当り遊技中において確変状態を報知するための演出として実行する」こと、または、「特殊確変大当り遊技に当選した場合の当該大当り遊技において、１ラウンド目における開閉扉の３回目の開放に合わせて一発報知演出を実行すること」を適用し、前記相違点１に係る特別遊技中に第１演出手段および第２演出手段を用いた第２特定報知演出も実行可能とすることは、当業者であれば容易に想到し得たことである。
（イ）上記［相違点２］について検討する。
　特典状態を報知する一発報知演出の１例として、引用文献１の【０１２５】に「第１一発報知演出パターンＫ１は、演出全体の演出時間(以下、単に演出時間という)が８０００ｍｓに設定され、可動体２６ａについては、一発報知演出の開始から終了まで連続的に一方向(実施例では右回り)に回転するよう設定される。また、発光体については、一発報知演出の開始から点灯して１５００ｍｓ後に消灯し、該消灯状態を２５００ｍｓ継続した後に、点灯１００ｍｓと消灯１００ｍｓとを繰り返すパターンを１０回行い、該パターンが終わった後に５００ｍｓ消灯を継続してから点灯して一発報知演出の終了により消灯するよう設定される。更に、スピーカ１９からの効果音については、一発報知演出の開始から出力して、発光体の最初の消灯に合わせて消音し、該発光体の次の点灯に合わせて出力してから一発報知演出の終了まで出力を継続した後に消音するよう設定される」と記載されるように、可動体２６ａについては、一発報知演出の開始から終了までの８０００ｍｓ連続的に一方向(実施例では右回り)に回転するよう設定され、発光体については、一発報知演出の開始から点灯して１５００ｍｓ後に消灯し、スピーカ１９からの効果音については、一発報知演出の開始から出力して、発光体の最初の消灯に合わせて消音している演出が記載されているといえる。
　ここで、大当り遊技中において確変状態を報知するための演出として上記一発報知演出を実行すること、または、特殊確変大当り遊技に当選した場合の当該大当り遊技において、１ラウンド目における開閉扉の３回目の開放に合わせて上記一発報知演出を実行することは、当業者が適宜設定し得た事項である。その際、引用文献１に記載される「一発報知演出の開始」は、本願補正発明における「第２のタイミング」に相当する。また、引用文献１に記載される「一発報知演出の開始から終了までの８０００ｍｓ」、「１５００ｍｓ」は、それぞれ異なる期間であるから、それぞれ本願補正発明における「第３期間」、第３期間と異なる期間である「第４期間」に相当する。
　したがって、引用発明に、引用文献１に記載された「特典状態を報知する一発報知演出は、大当り遊技中において確変状態を報知するための演出として実行する」こと、または、「特殊確変大当り遊技に当選した場合の当該大当り遊技において、１ラウンド目における開閉扉の３回目の開放に合わせて一発報知演出を実行すること」を適用するとともに、該「一発報知演出」として、引用文献１に記載された、可動体２６ａについては、一発報知演出の開始から終了までの８０００ｍｓ連続的に一方向(実施例では右回り)に回転するよう設定され、発光体については、一発報知演出の開始から点灯して１５００ｍｓ後に消灯し、スピーカ１９からの効果音については、一発報知演出の開始から出力して、発光体の最初の消灯に合わせて消音している演出を適用し、前記相違点２に係る第２特定報知演出を実行する際には、第１演出手段を第２のタイミングから第３期間作動させると共に、第２演出手段を第２のタイミングから第４期間作動させる構成とすることは、当業者であれば容易に想到し得たことである。
（ウ）まとめ
　そうすると、引用発明において、引用文献１の記載事項を適用することにより、「可動体演出装置２６」と、「可動体ランプ装置２８」および「スピーカ１９」とについて、作動開始を同じタイミングとするともに作動期間を異なる期間とした上記一発報知演出を、図柄変動演出中に加え、大当たり遊技中においても実行可能とし、上記相違点１、２に係る本願補正発明のように構成することは、当業者が容易に想到し得たことである。
　そして、本願補正発明の作用効果も、引用発明及び上記引用文献１に記載される事項から当業者が予測できる範囲のものである。
（５）審判請求人の主張について
　本願請求人は平成２８年１２月１日付け審判請求書において「つまり、引用文献１に係る発明は、特典状態を報知する一発報知演出を用いて、本願発明の第１特定報知演出を実行するか、あるいは第１特定報知演出に代えて第２特定報知演出を実行しても良いことが開示されております。しかし、引用文献１には、本願発明の第１特定報知演出と第２特定報知演出の両方を実行可能であることは開示されておらず、またそれを示唆するような記載もありません」と主張している。しかしながら、上記（４）において既に検討したように、上記特典状態報知演出は遊技者に付与される特典状態を報知することが目的であり、報知する特典状態を１つのみに限定する理由はなく、ここで例示される「大当り」、「確変状態」（または「特殊確変大当り」）はそれぞれ別の「特典状態」であることも明らかであるから、いずれか一つの「特典状態」のみを報知することには限られず、複数の特典状態の報知を実行することは当業者が容易に想到し得たことであるので、該主張は採用できない。
　また、本願請求人は同審判請求書において「引用文献１の記載に基づいて、本願発明の第１特定報知演出と第２特定報知演出の両方を実行することは、当業者であれば容易に想到し得る事項であったとしても、第１特定報知演出における第１演出手段および第２演出手段の動作態様と、第２特定報知演出における第１演出手段および第２演出手段の動作態様とが異なっていることまでは、たとえ当業者であっても、引用文献１に記載された発明から容易に想到し得るものではありません」とも主張するものの、請求項１には第１期間と第３期間とが異なる期間である点、第２期間と第４期間とが異なる期間である点は明記されていないから、該主張は請求項１の記載に基づくものではないため採用できない。
（６）小括
　本願補正発明は、引用発明及び上記引用文献１に記載される事項に基づいて、当業者が容易に発明をすることができたものであるから、特許法第２９条第２項の規定により特許出願の際独立して特許を受けることができないものである。
４．むすび
　上記２．（１）で検討したとおり、本件補正は、特許法第１７条の２第５項に規定する要件を満たしていないものであるから、同法第１５９条第１項の規定において読み替えて準用する同法第５３条第１項の規定により却下されるべきものである。
　さらに、上記３．で検討したとおり、仮に本件補正を限定的減縮として独立特許要件を判断しても、本件補正は、特許法第１７条の２第６項において準用する同法第１２６条第７項の規定に違反するので、同法第１５９条第１項の規定において読み替えて準用する同法第５３条第１項の規定により却下すべきものである。
第３　本願発明
　本願補正発明は、上記のとおり却下されたので、本願の請求項１に係る発明（以下、「本願発明」という）は、平成２８年３月１０日付けの手続補正書により補正された、上記第２の１．の本件補正の概要において示した次のとおりのものである（Ａ〜Ｈは本願補正発明を分説するため当審で付与した。）。
「Ａ　始動条件の成立により、特別遊技に当選したか否かを判定する判定手段と、
Ｂ　図柄の変動表示を行う図柄表示手段と、
Ｃ　前記判定手段の判定結果に基づいて、前記図柄表示手段に表示する図柄の変動表示を制御する図柄制御手段と、
Ｄ　前記図柄制御手段により前記図柄表示手段に表示される図柄が所定図柄で停止表示された後、前記特別遊技を実行する特別遊技実行手段と、
Ｅ　第１演出手段および第２演出手段と、
Ｆ　前記第１演出手段および前記第２演出手段に演出を行わせる演出制御手段と、を備え、
Ｇ　前記演出制御手段は、
　前記図柄変動表示中に前記第１演出手段および前記第２演出手段を用いた第１特定報知演出と、前記特別遊技中に前記第１演出手段および前記第２演出手段を用いた第２特定報知演出と、を実行可能な特定報知演出実行手段を有し、
Ｈ　前記特定報知演出実行手段は、前記第１演出手段を所定タイミングから所定期間作動させると共に、前記第２演出手段を前記所定タイミングから前記所定期間とは異なる期間作動させることを特徴とする遊技機。」
１．引用文献１
　原査定の拒絶理由に引用された引用文献１の記載事項は、上記第２の３．（２）において示した次のとおりのものである（ａ〜ｈは引用発明を分説するため当審で付した。）。
「ａ　始動入賞装置３０への入賞を契機として当りか否かを判定するメイン制御ＣＰＵ６０ａと、
ｂ　図柄変動演出が表示される図柄表示装置１７と、
ｃ　メイン制御ＣＰＵ６０ａの判定した結果によるものである演出パターン指定コマンドに基づいて、図柄表示装置１７に表示される図柄変動演出の表示内容を制御する表示制御基板７０と、
ｄ　表示制御基板７０により図柄表示装置１７に所定の当り表示となる図柄組み合わせで飾図が確定停止表示された後、決定した種類の当り遊技を実行するメイン制御ＣＰＵ６０ａと、
ｅ　可動演出装置２６および可動体ランプ装置２８ならびにスピーカ１９と、
ｆ　可動演出装置２６の駆動モータ２７の制御、可動体ランプ装置２８の発光制御、および、スピーカ１９からの音声出力のタイミングや大きさ等の制御をする統括制御基板６５と、を備え、
ｇ　統括制御基板６５が、図柄変動演出中に大当りが発生することを報知する一発報知演出であって、可動演出装置２６の可動体２６ａを回転する演出、可動体ランプ装置２８における発光体の点灯、消灯(点滅)による演出およびスピーカ１９から出力する特定効果音による演出である一発報知演出を実行するよう構成されている統括制御ＣＰＵ６５ａを有し、
ｈ　統括制御ＣＰＵ６５ａは、第１一発報知演出パターンＫ１では、可動体２６ａについては、一発報知演出の開始から終了までの８０００ｍｓ連続的に一方向(実施例では右回り)に回転するよう設定され、発光体については、一発報知演出の開始から点灯して１５００ｍｓ後に消灯し、スピーカ１９からの効果音については、一発報知演出の開始から出力して、発光体の最初の消灯に合わせて消音しているパチンコ機。」
２．対比
　本願発明と引用発明とを対比する。対比の見出しとしての（ａ）〜（ｈ）は引用発明の分説構成と対応させる。
　ここで、上記第２の３．（１）に示した、仮に本件補正が特許法第１７条の２第５項第２号の特許請求の範囲の減縮を目的とするものであって適法であると解釈した場合における本願補正発明の、発明を特定するために必要な事項である「特定報知演出実行手段」について、「前記第１特定報知演出を実行する際には、前記第１演出手段を第１のタイミングから第１期間作動させると共に、前記第２演出手段を前記第１のタイミングから第２期間作動させ、前記第２特定報知演出を実行する際には、前記第１演出手段を第２のタイミングから第３期間作動させると共に、前記第２演出手段を前記第２のタイミングから第４期間作動させること」という各々を具体的な記載で限定する記載を省き、「前記第１演出手段を所定タイミングから所定期間作動させると共に、前記第２演出手段を前記所定タイミングから前記所定期間とは異なる期間作動させること」としたものが本願発明であるから、本願発明と引用発明との対比でも、上記第２の３．（３）において示した（ａ）〜（ｇ）の検討については共通するため、（ａ）〜（ｇ）の検討については省略し、（ｈ）の検討をする。
（ｈ）引用発明における「一発報知演出の開始」、「パチンコ機」は、それぞれ本願発明における「所定タイミング」、「遊技機」に相当する。
　また、引用発明における「一発報知演出の開始から終了までの８０００ｍｓ」、「１５００ｍｓ」は、それぞれ異なる期間であるから、それぞれ本願発明における「所定期間」、「前記所定期間とは異なる期間」に相当する。
　したがって、引用発明の「統括制御ＣＰＵ６５ａは、第１一発報知演出パターンＫ１では、可動体２６ａについては、一発報知演出の開始から終了までの８０００ｍｓ連続的に一方向(実施例では右回り)に回転するよう設定され、発光体については、一発報知演出の開始から点灯して１５００ｍｓ後に消灯し、スピーカ１９からの効果音については、一発報知演出の開始から出力して、発光体の最初の消灯に合わせて消音しているパチンコ機」は、本願発明と「前記特定報知演出実行手段は、前記第１演出手段を所定タイミングから所定期間作動させると共に、前記第２演出手段を前記所定タイミングから前記所定期間とは異なる期間作動させる遊技機」である点で共通している。
　以上（ａ）〜（ｈ）の検討より、本願発明と引用発明とは、
「Ａ　始動条件の成立により、特別遊技に当選したか否かを判定する判定手段と、
Ｂ　図柄の変動表示を行う図柄表示手段と、
Ｃ　前記判定手段の判定結果に基づいて、前記図柄表示手段に表示する図柄の変動表示を制御する図柄制御手段と、
Ｄ　前記図柄制御手段により前記図柄表示手段に表示される図柄が所定図柄で停止表示された後、前記特別遊技を実行する特別遊技実行手段と、
Ｅ　第１演出手段および第２演出手段と、
Ｆ　前記第１演出手段および前記第２演出手段に演出を行わせる演出制御手段と、を備え、
Ｇ’　前記演出制御手段は、
　　前記図柄変動表示中に前記第１演出手段および前記第２演出手段を用いた第１特定報知演出を実行可能な特定報知演出実行手段を有し、
Ｈ’　前記特定報知演出実行手段は、前記第１演出手段を所定タイミングから所定期間作動させると共に、前記第２演出手段を前記所定タイミングから前記所定期間とは異なる期間作動させる遊技機。」
の点で一致し、以下の点で相違する。
［相違点１］
　「演出制御手段」が有する「特定報知演出実行手段」について、本願発明は、「前記特別遊技中に前記第１演出手段および前記第２演出手段を用いた第２特定報知演出」も「実行可能」であるのに対して、引用発明は、そのような特定がなされていない点。
［相違点２］
　「特定報知演出実行手段」について、上記［相違点１］で言及したように本願発明は、「前記特別遊技中に前記第１演出手段および前記第２演出手段を用いた第２特定報知演出」も「実行可能」であるのに対して、引用発明は、そのような特定がなされていないので、本願発明は、「前記第２特定報知演出」を「実行」する際も「前記第１演出手段を所定タイミングから所定期間作動させると共に、前記第２演出手段を前記所定タイミングから前記所定期間とは異なる期間作動させる」のに対して、引用発明は、そのような特定がなされていない点。
３．判断
　上記第２の３．（１）に示した、仮に本件補正が特許法第１７条の２第５項第２号の特許請求の範囲の減縮を目的とするものであって適法であると解釈した場合における本願補正発明の、発明を特定するために必要な事項である「特定報知演出実行手段」について、「前記第１特定報知演出を実行する際には、前記第１演出手段を第１のタイミングから第１期間作動させると共に、前記第２演出手段を前記第１のタイミングから第２期間作動させ、前記第２特定報知演出を実行する際には、前記第１演出手段を第２のタイミングから第３期間作動させると共に、前記第２演出手段を前記第２のタイミングから第４期間作動させること」という各々を具体的な記載で限定する記載を省き、「前記第１演出手段を所定タイミングから所定期間作動させると共に、前記第２演出手段を前記所定タイミングから前記所定期間とは異なる期間作動させること」としたものが本願発明である。
　ここで、上記本願補正発明は、「特定報知演出実行手段」の「第２演出手段」を作動させる期間について、補正前の「前記所定期間とは異なる期間」なる記載を加味した、第１特定報知演出を実行する際の第２期間が第１期間と異なる期間であり、第２特定報知演出を実行する際の第４期間が第３期間と異なる期間であるとして、かつ、「所定タイミング」を「第１のタイミング」、「第２のタイミング」と区別して限定したものとしている。
　そうすると、本願発明の構成要件をすべて含み、さらに、本願発明よりも「特定報知演出実行手段」について各々を具体的な記載で限定する記載をしている本願補正発明が、上記第２の３．（４）に記載したとおり、引用発明及び上記引用文献１に記載される事項に基づいて、当業者が容易に発明をすることができたものであるから、本願発明も、同様の理由により、相違点１、２については、引用発明及び上記引用文献１に記載される事項に基づいて、当業者が容易に行い得ることである。
　したがって、本願発明は、引用発明及び上記引用文献１に記載される事項に基づいて、当業者が容易に発明をすることができたものである。
４．むすび
　以上のとおりであるから、本願発明は、特許法第２９条第２項の規定により特許を受けることができない。